(57)【要約】【課題】冷却ユニットの設置スペースを十分に確保するとともに、内部機器の設置スペースを圧迫することなく、電源ユニットを取付けることができる冷却機能付盤用キャビネットを提供する。【解決手段】冷却装置を冷却ユニット６と電源ユニット１１とに分離して備える冷却機能付盤用キャビネットであって、冷却ユニット６を筐体３の扉１裏面に配置し、電源ユニット１１を、電源ユニット取付部材１６を介して筐体３内に配置し、電源ユニット取付部材１６は、扉１を閉塞した状態において、筐体３内で、筐体３の開口縁部１５と冷却ユニット６との間に形成される空間の距離間に、電源ユニット１１の短手方向幅が収まるよう、電源ユニット１１を取付けるものとした。【選択図】図２
2015002183.tif 000002
【特許請求の範囲】
【請求項１】
冷却装置を冷却ユニットと電源ユニットとに分離して備える冷却機能付盤用キャビネットであって、該冷却ユニットを筐体の扉裏面に配置し、該電源ユニットを、電源ユニット取付部材を介して筐体内に配置し、該電源ユニット取付部材は、前記扉を閉塞した状態において、該筐体内で、前記筐体の開口縁部と前記冷却ユニットとの間に形成される空間の距離間に、該電源ユニットの短手方向幅が収まるよう、該電源ユニットを取付けることを特徴とする冷却機能付盤用キャビネット。
【請求項２】
前記筐体内には、内部機器を固定するマウントアングルと、該マウントアングルをスライド移動可能に取付ける奥行レールとを備え、前記冷却ユニットの上部の前記空間の距離間に、前記電源ユニットの上下幅が収まるよう、前記電源ユニット取付部材を、該奥行レールに取付けたことを特徴とする請求項１記載の冷却機能付盤用キャビネット。
【請求項３】
該電源ユニット取付部材は、前記空間に該電源ユニットを臨ませるよう、該電源ユニットを取付けることを特徴とする請求項２記載の冷却機能付盤用キャビネット。
【発明の詳細な説明】
【技術分野】
【０００１】
本発明は、盤用キャビネットに収納された電子機器等の内部機器を冷却するための冷却装置を備えた冷却機能付盤用キャビネットに関するものである。
【背景技術】
【０００２】
電子機器等の内部機器を収納した盤用キャビネットにおいて、内部機器からの発熱に起因する、盤用キャビネット内部の温度上昇を回避する手段として、特許文献１のように、盤用キャビネット内部に冷却装置を備えた冷却機能付盤用キャビネットに関する技術が開示されている。
【０００３】
特許文献１の技術では、前記冷却装置は冷却ユニットと、この冷却ユニットに電力を供給する電源ユニットとに分離して配置され、内部機器の取付位置に対応してそれぞれ取付けられる。このとき、冷却ユニットと電源ユニットとを盤用キャビネットの同一の扉裏面の上下方向に取付けたり、若しくは冷却ユニットを一方の扉裏面に取付け、電源ユニットを他方の異なるキャビネット面やマウントアングル等に取付けている。
【０００４】
しかしながら、同一の扉裏面に冷却ユニットと電源ユニットとを取付けた場合は、電源ユニットによって冷却ユニットの設置スペースが減少し、冷却能力が低下する問題がある。さらに、異なるキャビネット面に冷却ユニットと電源ユニットとを取付けた場合や、電源ユニットをマウントアングル等に取付けた場合は、電源ユニットによって内部機器の設置スペースが減少することから、盤用キャビネットのサイズを大きくしなければならない問題がある。
【先行技術文献】
【特許文献】
【０００５】
【特許文献１】特開２００８−９１６０７号公報
【発明の概要】
【発明が解決しようとする課題】
【０００６】
本発明の目的は前記した従来の問題点を解決し、冷却ユニットの設置スペースを十分に確保するとともに、内部機器の設置スペースを圧迫することなく、電源ユニットを取付けることができる冷却機能付盤用キャビネットを提供することである。
【課題を解決するための手段】
【０００７】
上記課題を解決するためになされた本発明は、冷却装置を冷却ユニットと電源ユニットとに分離して備える冷却機能付盤用キャビネットであって、該冷却ユニットを筐体の扉裏面に配置し、該電源ユニットを、電源ユニット取付部材を介して筐体内に配置し、該電源ユニット取付部材は、前記扉を閉塞した状態において、該筐体内で、前記筐体の開口縁部と前記冷却ユニットとの間に形成される空間の距離間に、該電源ユニットの短手方向幅が収まるよう、該電源ユニットを取付けることを特徴とするものである。
【０００８】
請求項２記載の発明は、請求項１記載の冷却機能付盤用キャビネットにおいて、前記筐体内には、内部機器を固定するマウントアングルと、該マウントアングルをスライド移動可能に取付ける奥行レールとを備え、前記冷却ユニットの上部の前記空間の距離間に、前記電源ユニットの上下幅が収まるよう、前記電源ユニット取付部材を、該奥行レールに取付けたことを特徴とするものである。
【０００９】
請求項３記載の発明は、請求項２記載の冷却機能付盤用キャビネットにおいて、該電源ユニット取付部材は、前記空間に該電源ユニットを臨ませるよう、該電源ユニットを取付けることを特徴とするものである。
【発明の効果】
【００１０】
本発明に係る冷却機能付盤用キャビネットは、冷却装置を冷却ユニットと電源ユニットとに分離して備える冷却機能付盤用キャビネットであって、該冷却ユニットを筐体の扉裏面に配置し、該電源ユニットを、電源ユニット取付部材を介して筐体内に配置し、該電源ユニット取付部材は、前記扉を閉塞した状態において、該筐体内で、前記筐体の開口縁部と前記冷却ユニットとの間に形成される空間の距離間に、該電源ユニットの短手方向幅が収まるよう、該電源ユニットを取付けるものとした。これにより、冷却ユニットの設置スペースを十分に確保すると同時に、デッドスペースを有効に利用して内部機器の設置スペースを圧迫することなく電源ユニットを取付けることが可能となる。
【００１１】
請求項２記載の発明によれば、請求項１記載の冷却機能付盤用キャビネットにおいて、前記筐体内には、内部機器を固定するマウントアングルと、該マウントアングルをスライド移動可能に取付ける奥行レールとを備え、前記冷却ユニットの上部の前記空間の距離間に、前記電源ユニットの上下幅が収まるよう、前記電源ユニット取付部材を、該奥行レールに取付けた。これにより、電源ユニット取付部材を取付けるための新規の部材を設ける必要なしに、電源ユニット取付部材を筐体内に取付けることが可能となる。
【００１２】
請求項３記載の発明によれば、請求項２記載の冷却機能付盤用キャビネットにおいて、該電源ユニット取付部材は、前記空間に該電源ユニットを臨ませるよう、該電源ユニットを取付けるものとした。したがって、より開口部側に電源ユニットが取付けられることとなり、電源ユニットの操作が容易になると同時に、内部機器の設置スペースをより多く確保することが可能となる。
【図面の簡単な説明】
【００１３】
【図１】本実施形態を示す斜視図である。
【図２】本実施形態を示す垂直断面図である。
【図３】本実施形態を示す拡大垂直断面図である。
【図４】本実施形態を示す水平断面図である。
【図５】本実施形態の電源ユニット取付部材を示す斜視図である。
【図６】本実施形態の電源ユニットの取付状態を示す斜視図である。
【図７】本実施形態の電源ユニットの正面拡大図である。
【発明を実施するための形態】
【００１４】
以下に本発明の好ましい実施形態を示す。
図１において、外部が前後の扉１と側板パネル２とにより取り囲まれた筐体３内部には、電子機器等の内部機器４がマウントアングル５によって保持されており、内部機器４から発生する熱に起因する筐体３内部の温度上昇を抑制するために、後方の扉１の裏面には冷却ユニット６が取付けられている。冷却ユニット６は、ペルチェ素子７を挟んで盤内の吸熱側と、盤外の放熱側とに区画されており、吸熱側には盤内ファン８が取付けられ、放熱側には盤外ファン９が取付けられている。また、冷却ユニット６の吸熱側のうち、正面と、上面と、側面とには、筐体３内部の空気を吸い込むための吸気孔１０が形成されている。
【００１５】
上記冷却ユニット６への給電を行うために、筐体３内部には電源ユニット１１が冷却ユニット６と分離して取付けられる。電源ユニット１１には、図４のように冷気を上下方向に通気させる通気孔１２が形成されており、これにより冷却ユニット６付近に電源ユニット１１を位置させても、冷気を筐体３内部で循環させることができる。図２、および図３に示すように、冷却ユニット６は、扉１の必要十分な強度を確保するため、また冷却ユニット６を扉１の裏面に固定するための取付ネジ１４が取付けられるために、扉１の裏面の上方に亘って冷却ユニット６を取付けることは困難である。したがって、扉１を閉塞した際には、冷却ユニット６の上部と開口縁部１５との間に空間が存在することとなる。したがって、本実施形態においては冷却ユニット６の上部と開口縁部１５との間に形成される空間の上下距離間に、電源ユニット１１の操作部２４がある前面の短手方向幅である上下幅が収まるように、後述する電源ユニット取付部材１６によって筐体３内に電源ユニット１１を取付けるものとした。これにより、冷却ユニット６の設置スペースを十分に確保すると同時に、デッドスペースを有効に利用して内部機器４の設置スペースを圧迫することなく電源ユニット１１を取付けることが可能となる。なお、電源ユニット１１は、前述の通り前面に操作部２４を備えており、冷却ユニット６への給電のほか、盤内ファン８や盤外ファン９の動作を制御したり、図７のように電源ユニット１１の前面に警報ランプ１３を点灯させる機能も有するものとする。
【００１６】
電源ユニット取付部材１６は、図５に示すように、固定部１７と、固定部１７の下部からＬ字状に折り曲げて形成された電源ユニット支え部１８と、固定部１７の前部からＬ字状に折り曲げて形成された電源ユニット取付部１９と、固定部１７の上部からＬ字状に折り曲げて形成された天板当接部２０とからなる。
【００１７】
上記電源ユニット取付部材１６は、図６のように固定部１７を筐体３側に当接させるものとし、マウンドアングル５をスライド移動可能に取付けるために設けられ、前方の扉１から後方の扉１に亘って筐体３の天板２１に固定された奥行レール２２に、電源ユニット取付部材１６の固定部１７をネジ止めにより固定することが好ましい。これにより、電源ユニット取付部材１６を取付けるための新規の部材を設ける必要なしに、規定位置に電源ユニット取付部材１６を取付けることができる。さらに、電源ユニット支え部１８に電源ユニット１１を載置した状態で電源ユニット取付部１９によってネジ止めすることにより、電源ユニット１１を電源ユニット取付部材１６に固定することができる。また、電源ユニット取付部材１６を奥行レール２２に取付けた状態で、天板当接部２０を筐体３の天板２１に当接させることにより、電源ユニット１１の荷重による電源ユニット取付部材１６の歪みを抑制することが可能となる。なお、電源ユニット取付部材１６は、筐体３の天板２１や側板パネル２に溶接して取付けてもよい。
【００１８】
上記のように取り付けられた電源ユニット１１は、冷却ユニット６の上部および上後方に位置することとなり、さらに、電源ユニット取付部材１６によって、冷却ユニット６の上部と開口縁部１５との間に形成される空間に、電源ユニット１１の前面を臨ませるように電源ユニット１１を取付けることが望ましい。これにより、より開口部２３側に電源ユニット１１が取付けられることとなり、電源ユニット１１の操作が容易になると同時に、内部機器４の設置スペースをより多く確保することが可能となる。さらに、電源ユニット１１と同じ高さ位置に、内部機器４をマウントアングル５によって取付けることも可能となる。
【００１９】
さらに、電源ユニット取付部材１６をマウントアングル５に取り付けることも可能であり、その際は天板当接部２０を形成しないことが好ましい。また、固定部１７を前後方向に幅広に形成し、前後方向に複数のネジ孔を設けることで、マウントアングル５に対して電源ユニット取付部材１６を前後方向に移動可能に取り付けても差し支えない。さらに、扉１の裏面に形成した冷却ユニット６と、冷却ユニット６の左方向もしくは右方向に形成される筐体３の開口部２３との間の空間の左右距離間に、電源ユニット取付部材１６に取り付けられた電源ユニット１１の短手方向幅である左右幅が収まるように位置させてもよく、その際は、電源ユニット取付部材１６は側板パネル２やマウントアングル５に取り付けられることが好ましい。
【符号の説明】
【００２０】
１  扉
２  側板パネル
３  筐体
４  内部機器
５  マウントアングル
６  冷却ユニット
７  ペルチェ素子
８  盤内ファン
９  盤外ファン
１０  吸気孔
１１  電源ユニット
１２  通気孔
１３  警報ランプ
１４  取付ネジ
１５  開口縁部
１６  電源ユニット取付部材
１７  固定部
１８  電源ユニット支え部
１９  電源ユニット取付部
２０  天板当接部
２１  天板
２２  奥行レール
２３  開口部
２４  操作部
【図１】
2015002183.tif 000003
【図２】
2015002183.tif 000004
【図３】
2015002183.tif 000005
【図４】
2015002183.tif 000006
【図５】
2015002183.tif 000007
【図６】
2015002183.tif 000008
【図７】
2015002183.tif 000009